(57)【要約】【課題】足場板本体に補強桟を取り付けるにあたり、足場板本体をメッキ鋼板で形成する場合のメッキの剥がれを無くし、補強桟取付作業を容易に行なえる足場板を提供する。【解決手段】天板部１と左右側壁部２と天板部裏側の幅方向中央部から垂下される断面倒Ｔ字状の補強リブ３とからなる足場板本体４が、鋼板材のロールフォーミングにより形成されると共に、補強リブ３の下端部が両斜壁部７，７と底壁部８とからなる中空状に形成され、その中空部３ｂの底壁部８と左右側壁部２の下端部とに亘り足場板幅方向に補強桟６が取り付けられてなる足場板において、補強リブ３の中空部３ｂを形成する斜壁部７には補強桟取付位置に対応する部位にリベットセッターＲＳのポンチＰを挿入する孔９が設けられ、ポンチ挿入孔９からポンチＰが挿入されるリベットセッターＲＳにより、補強桟６と中空部３ｂの底壁部８とが打ち抜きリベット接合される。【選択図】図４
2009144483.tif 000002
【特許請求の範囲】
【請求項１】
天板部と断面コ字状の左右側壁部と天板部裏側の幅方向中央部から垂下される断面略倒Ｔ字状の補強リブとからなる足場板本体が、１枚の鋼板材をロールフォーミングすることによって形成されると共に、前記補強リブの下端部が両斜壁部と底壁部とからなる断面三角形の中空状に形成され、その中空部の底壁部と前記左右側壁部の下端部とに亘って足場板幅方向に補強桟が足場板長さ方向所要間隔おきに取り付けられてなる足場板において、前記補強リブの断面三角形状中空部を形成する斜壁部には補強桟取付位置に対応する部位にリベットセッターのポンチを挿入する孔が設けられて、このポンチ挿入孔からポンチが挿入されるリベットセッターにより、補強桟と前記中空部の底壁部とが打ち抜きリベット接合されてなることを特徴とする足場板。
【請求項２】
前記ポンチ挿入孔は、足場板本体を形成する鋼板材がロールフォーミングされる前に鋼板材の所定位置に穿設されていることを特徴とする請求項１に記載の足場板。
【発明の詳細な説明】
【技術分野】
【０００１】
本発明は、建築工事や土木工事の作業足場に使用される鋼製の足場板に関するものである。
【背景技術】
【０００２】
従来の鋼製足場板として、特許公報等の公知文献を具体的に挙げることはできないが、天板部と、断面コ字状の左右側壁部と、天板部裏側の幅方向中央部から垂下される断面略倒Ｔ字状の補強リブと、からなる足場板本体が、１枚の鋼板材をロールフォーミングすることによって形成されると共に、この足場板本体の断面略倒Ｔ字状補強リブの下端部が、両斜壁部と底壁部とからなる断面三角形の中空状に形成され、その中空部の底壁部と前記左右側壁部の下端部とに亘って足場板幅方向に補強桟が足場板長さ方向所要間隔おきに取り付けられているものが知られている。
【０００３】
この足場板の製作にあたって、補強桟を足場板本体下端部に幅方向に取り付けるのに、補強桟の両端部は、足場板本体の左右側壁部に対して、その裏側へのリベットセッターの配置が可能であるため、リベット接合できるが、補強桟の中間部は、補強リブの下端部が断面三角形の中空部を形成していて、その中空部の底壁部にはリベットセッターのポンチを当て付けることができないために、リベット接合ができず、従って補強桟の中間部は、補強リブの下端中空部の底壁部に対し手作業によるスポット溶接で接合していた。
【発明の開示】
【発明が解決しようとする課題】
【０００４】
上記鋼製足場板の足場板本体に使用される鋼板はメッキ鋼板が多いことから、補強桟の取付けをスポット溶接によって行なうと、溶接部分のメッキが剥げて、その部分から銹を生じ易く、腐食の原因となり、また手溶接によるために作業性が悪い、といった問題があった。
【０００５】
本発明は、上記の事情に鑑み、足場板本体に補強桟を取り付けるにあたり、足場板本体の補強リブ下端部を形成する断面三角形状中空部の底壁部に対し補強桟の中間部をリベット接合することにより、足場板本体をメッキ鋼板で形成する場合に補強桟取付部分のメッキの剥がれを無くして耐用性の向上を図ると共に、補強桟取付作業の作業性の向上を期することのできる足場板を提供することを目的とする。
【課題を解決するための手段】
【０００６】
上記課題を解決するための手段を、後述する実施形態の参照符号を付して説明すると、請求項１に係る発明は、天板部１と断面コ字状の左右側壁部２，２と天板部裏側の幅方向中央部から垂下される断面略倒Ｔ字状の補強リブ３とからなる足場板本体４が、１枚の鋼板材をロールフォーミングすることによって形成されると共に、前記補強リブ３の下端部が両斜壁部７，７と底壁部８とからなる断面三角形の中空状に形成され、その中空部３ｂの底壁部８と前記左右側壁部２，２の下端部とに亘って足場板幅方向に補強桟６が足場板長さ方向所要間隔おきに取り付けられてなる足場板において、前記補強リブ３の断面三角形状中空部３ｂを形成する斜壁部７には補強桟取付位置に対応する部位にリベットセッターＲＳのポンチＰを挿入する孔９が設けられて、このポンチ挿入孔９からポンチＰが挿入されるリベットセッターＲＳにより、補強桟６と前記中空部３ｂの底壁部８とが打ち抜きリベット接合されてなることを特徴とする。
【０００７】
請求項２は、請求項１に記載の足場板において、前記ポンチ挿入孔９は、鋼板材がロールフォーミングされる前に鋼板材の所定位置に穿設されていることを特徴としている。
【発明の効果】
【０００８】
上記解決手段による発明の効果を、後述する実施形態の参照符号を付して説明すると、請求項１に係る発明によれば、補強リブ３の断面三角形状中空部３ｂを形成する斜壁部７には補強桟取付位置に対応する部位にリベットセッターＲＳのポンチＰを挿入する孔９が設けられていて、補強桟６を足場板本体４に取り付けるのに、そのポンチ挿入孔９からポンチＰが挿入されるリベットセッターＲＳによって、補強桟６と中空部３ｂの底壁部８とが打ち抜きリベット接合されるから、足場板本体４を形成する鋼板としてメッキ鋼板を使用しても、溶接によって取り付ける場合のように取付部分のメッキが剥げることがなく、従ってその部分から銹を生ずることがなく、耐用性の向上を図ることができる。また打ち抜きリベット接合によって行なうから、中空部３ｂの底壁部８及び補強桟６に下孔を開ける必要がなく、従来の手溶接による取付作業に比べて作業性の向上を期することができ、更に溶接作業のように火花や煙が出ず、作業現場は衛生的で、作業環境が良くなる。
【０００９】
請求項２に係る発明によれば、ポンチ挿入孔９は、足場板本体４を形成する平板状の鋼板材がロールフォーミングされる前に平板状鋼板材の所定位置に穿設されるから、その穿設作業が簡単容易となる。
【００１０】
以下に本発明の好適な実施形態を図面に基づいて説明すると、図１の(a) は本発明に係る足場板の平面図、(b) は正面図、(c) は底面図であり、図２の(a) は図１の(a) の矢印Ａ部分の拡大図、(b) は(a) の左側面図、(c) はその裏面図であり、図３の(a) は図１の(b) の矢印Ｂ部分の拡大図、(b) は(a) のＸ−Ｘ線断面図、(c) は(a) のＹ−Ｙ線断面図であり、図４の(a) は本発明に係る足場板の横断面図、(b) は同足場板の一部底面図であり、図５は足場板本体内にリベットセッターを挿入して補強桟の中間部を足場板本体の補強リブの下端中空部の底壁部に打ち抜きリベット接合している状態を示す概略横断面図である。
【００１１】
この実施形態に示される足場板は、天板部１と、夫々断面コ字状を成す左右側壁部２，２と、天板部１の裏側の幅方向中央部から垂下される断面略倒Ｔ字状の補強リブ３とからなる足場板本体４を有し、この足場板本体４の両端部に夫々端部キャップ５が嵌合固定され、足場板本体４の底面側には足場板本体幅方向に掛け渡される補強桟６が足場板本体長手方向所要間隔おきに取り付けられている。
【００１２】
足場板本体４は、１枚の鋼板材をロールフォーミングすることによって、図６に示すように、天板部１を形成すると共に、天板部１の裏側の幅方向中央部から垂下する、鋼板材の重ね合わせ構造による断面略倒Ｔ字状の補強リブ３を形成し、また天板部１の左右両側に夫々断面コ字状を成す左右側壁部２，２を形成したもので、補強リブ３は、鋼板材が重ね合わさった垂直片部３ａと、その下端部の断面三角形状中空部３ｂとからなり、断面三角形状中空部３ｂは、両斜壁部７，７と底壁部８とで略二等辺三角形を成している。
【００１３】
前記補強リブ３の断面三角形中空部３ｂを形成する両斜壁部７，７には補強桟取付位置に対応する部位にリベットセッターＲＳのポンチＰを挿入する孔９（図８〜図１０参照）が設けられていて、このポンチ挿入孔９からポンチＰが挿入される図５の仮想線図示のようなリベットセッターＲＳの使用により、補強桟６と前記中空部３ｂの底壁部８とが打ち抜きリベットＲで接合されるようになっている。
【００１４】
ポンチ挿入孔９は、足場板本体４を形成する平板状の鋼板材がロールフォーミングされる前に平板状鋼板材の所定位置に穿設されるから、その穿設作業は簡単容易となる。
【００１５】
補強桟６は、図１の(c) から分かるように、足場板本体４の底面側に、端部キャップ５が取り付けられる両端部を除き、足場板本体４の長手方向所要間隔おきに夫々リベット接合によって取り付けられる。この補強桟６は鋼製のもので、図７の(a) ，(b) から分かるように、左右両側の夫々中央部に補強用凸条部６ａ，６ａを形成している。
【００１６】
この実施形態に示す足場板の寸法を参考までに例示すれば、足場板本体４は、長さが４０００ｍｍ、幅が２５０ｍｍ、高さが４０ｍｍ、板厚が０．８ｍｍとされ、また補強リブ３の断面三角形状中空部３ｂの幅Ｗｏ（図６及び図８参照）が約３５ｍｍとされ、そして断面三角形状中空部３ｂの両斜壁部７，７に夫々穿設されたポンチ挿入孔９の内径は１２ｍｍとされる。補強桟６は、図７の(b) に示す幅Ｗａが４０ｍｍ、幅Ｗｂが３０ｍｍ、板厚が１．２ｍｍとされる。
【００１７】
次に、補強桟６の長さ方向中央部を、足場板本体４の補強リブ３の断面三角形状中空部３ｂの底壁部８に対し、リベットセッターＲＳを使用して打ち抜きリベット接合する方法について、図５、図９及び図１０を参照しながら説明する。
【００１８】
先ず図５及び図９の(a) に示すように、足場板本体４内の補強リブ３と一方の側壁部２との間にリベットセッターＲＳを挿入して、そのポンチＰを、補強リブ３の下端中空部３ｂの底壁部８に設けてあるポンチ挿入孔９の真上に位置させる。この後、図９の(b) に示すようにリベットセッターＲＳを下降させて、ポンチＰをポンチ挿入孔９から下方の底壁部８上に落とし込む。
【００１９】
しかして、図１０の(a) に示すように、断面三角形状中空部３ｂの底壁部８及びこれに接合される補強桟６を挟んでリベットセッターＲＳのポンチＰと反対側から、打ち抜きリベットＲをステム（図示省略）によって補強桟６及び底壁部８に打ち込んで、同図の(b) に示すように打ち抜きリベット接合する。同図の(c) は打ち抜きリベット接合部分の拡大図である。
【００２０】
補強桟６は、その長手方向中央部の左右２箇所を中空部３ｂの底壁部８に対して打ち抜きリベット接合するもので、上記のようにして補強桟６の中央部の片側１箇所の打ち抜きリベット接合を終えたら、リベットセッターＲＳを足場板本体４内の補強リブ３と他方の側壁部２との間に挿入して、上記同様な操作により、補強桟６の中央部の反対側１箇所の打ち抜きリベット接合を行なえばよい。
【００２１】
上記のような打ち抜きリベットＲによる接合方法では、接合すべき板材である補強桟６及び中空部３ｂの底壁部８に下孔を開ける必要がないため、リベット接合作業を容易に行なうことができる。更に、打ち抜きリベット接合作業では、スポット溶接のように火花や煙が出ないため、作業現場は衛生的で、作業環境が良好となる。
【００２２】
上記のようにして補強桟６の中央部側２箇所を補強リブ３の下端中空部３ｂの底壁部８に打ち抜きリベット接合した後、この補強桟６の両端部を足場板本体４の左右側壁部２，２の下面側に同様な打ち抜きリベットＲによる接合を行なうことにより、足場板本体４に対する補強桟６の取付けを完了する。この場合、足場板本体４の側壁部２は、中空部ではないので、リベットセッターＲＳのポンチＰのセットが簡単で、そのリベット接合を容易に行なうことができる。
【００２３】
以上説明したように、本発明に係る足場板では、補強リブ３の中空部３ｂを形成する斜壁部７には補強桟取付位置に対応する部位にリベットセッターＲＳのポンチＰを挿入する孔９が設けられていて、補強桟６を足場板本体４に取り付けるにあたり、そのポンチ挿入孔９からポンチＰが挿入されるリベットセッターＲＳにより、補強桟６と前記中空部３ｂの底壁部８とが打ち抜きリベット接合されるから、足場板本体４を形成する鋼板としてメッキ鋼板を使用しても、溶接によって取り付ける場合のように取付部分のメッキが剥げることがなく、従ってその部分から銹を生ずることがなく、耐用性の向上を図ることができる。
【００２４】
また、足場板本体４に対する補強桟６の取付けを打ち抜きリベット接合によって行なうから、従来の手溶接による取付作業に比べて作業性の向上を期することができる。
【図面の簡単な説明】
【００２５】
【図１】(a) は本発明の足場板の平面図、(b) は正面図、(c) は底面図である。
【図２】(a) は図１の(a) の矢印Ａ部分の拡大図、(b) は(a) の左側面図、(c) は裏面図である。
【図３】(a) は図１の(b) の矢印Ｂで示す部分の拡大図、(b) は(a) のＸ−Ｘ線断面図、(c) は(a) のＹ−Ｙ線断面図である。
【図４】(a) は本発明の足場板の横断面図、(b) は同足場板の一部底面図である。
【図５】足場板本体内にリベットセッターを挿入した状態の概略横断面図である。
【図６】足場板本体の拡大横断面図である。
【図７】(a) は補強桟の正面図、(b) は平面図である。
【図８】図６のＺ−Ｚ線断面図である。
【図９】足場板本体４に対する補強桟の打ち抜きリベット接合方法を示す断面図である。
【図１０】同じく足場板本体に対する補強桟の打ち抜きリベット接合方法を示す断面図である。
【符号の説明】
【００２６】
１            足場板本体の天板部
２            足場板本の左右側壁部
３            足場板本の補強リブ
３ａ          垂直片部  
３ｂ          中空部中空部
６            補強桟
７            中空部の斜壁部
８            中空部の底壁部
９            ポンチ挿入孔
ＲＳ          リベットセッター
９            ポンチ
【図１】
2009144483.tif 000003
【図２】
2009144483.tif 000004
【図３】
2009144483.tif 000005
【図４】
2009144483.tif 000006
【図５】
2009144483.tif 000007
【図６】
2009144483.tif 000008
【図７】
2009144483.tif 000009
【図８】
2009144483.tif 000010
【図９】
2009144483.tif 000011
【図１０】
2009144483.tif 000012